(57)【要約】【課題】マイナスイオンを効果的に被験者の人体に影響させるこのとのできるマイナスイオン発生印刷物及びマイナスイオン供給方法を提供する。【解決手段】新聞１は、左ページ２と右ページ３とを有する複数枚の紙で構成されている。ある紙の左ページ２には、モノクロ印刷された一般記事４が掲載されており、右ページ３にはカラー印刷された広告５が掲載されている。一般記事４及び広告５はマイナスイオンを発生する物質を含有するインキ（以下、マイナスイオン発生インキという。）により印刷されている。また、マイナスイオン発生インキで印刷された各ページの適宜の部分には、「このページはマイナスイオンを発生するインキで印刷されています。」なる記載が印刷され、広告５の一部にはスポンサー名６が印刷されている。【選択図】        図１
2004182941.tif 000002
【特許請求の範囲】
【請求項１】
視覚により伝達すべき内容を印刷した印刷物であって、マイナスイオン発生する物質を含有する印刷インキを用いて印刷を施してなることを特徴とするマイナスイオン発生印刷物。
【請求項２】
前記印刷インキの印刷媒体が紙であって、前記印刷物が新聞であることを特徴とする請求項１記載のマイナスイオン発生印刷物。
【請求項３】
前記新聞におけるカラーページを前記マイナスイオン発生する物質を含有する印刷インキで印刷したことを特徴とする請求項２記載のマイナスイオン発生印刷物。
【請求項４】
前記新聞における広告部分を前記マイナスイオン発生する物質を含有する印刷インキで印刷したことを特徴とする請求項２記載のマイナスイオン発生印刷物。
【請求項５】
前記印刷インキの印刷媒体が紙であって、前記印刷物が新聞に折り込まれて配達される折り込み広告であることを特徴とする請求項１記載のマイナスイオン発生印刷物。
【請求項６】
前記マイナスイオン発生する物質を含有する印刷インキで印刷した部分にその旨を記載した印刷を施したことを特徴とする請求項１から４にいずれか記載のマイナスイオン発生印刷物。
【請求項７】
マイナスイオン発生する物質を含有する印刷インキを用いて印刷を施してなる新聞を、予め契約されている箇所に所定の休刊日を除く毎日配達することを特徴とするマイナスイオン供給方法。
【請求項８】
前記新聞におけるカラーページが前記マイナスイオン発生する物質を含有する印刷インキで印刷されていることを特徴とする請求項７記載のマイナスイオン供給方法。
【請求項９】
前記新聞における広告部分が前記マイナスイオン発生する物質を含有する印刷インキで印刷されていることを特徴とする請求項７記載のマイナスイオン供給方法。
【請求項１０】
前記マイナスイオン発生する物質を含有する印刷インキで印刷した部分にその旨を記載した印刷が施されていることを特徴とする請求項７記載のマイナスイオン供給方法。
【発明の詳細な説明】
【０００１】
【発明の属する技術分野】
本発明は、マイナスイオン発生印刷物及びマイナスイオン供給方法に関する。
【０００２】
【従来の技術】
従来、マイナスイオンを発生する粉体、樹脂、繊維、無機基材、紙及び布、マイナスイオン発生粉体の製造方法が提案されるに至っている（特許文献１参照。）。この特許文献１において、マイナスイオン発生紙は、マイナスイオン発生粉体が紙にバインダーを用いて固定されている。
【０００３】
また、マイナスイオンを発生する物質を含むインキも提案されるに至っており（特許文献２参照。）、この特許文献２にはこのインキを用いてＴシャツに印刷を施すことも開示されている
【０００４】
【特許文献１】
特許第３３０６７９０号公報
【特許文献２】
特開２００１−３５７２６号公報
【０００５】
【発明が解決しようとする課題】
ところで、マイナスイオン発生物質を紙等の所定の媒体に含有させ目的は、所定の媒体に含有させたマイナスイオン発生物質から発生するマイナスイオンを被験者の人体に影響させて、細胞を活性化させる等の人体に好影響を与えることである。したがって、マイナスイオンを効果的に被験者の人体に影響させるためには、マイナスイオン発生物質を含有させる媒体は、
▲１▼可及的に毎日の被験者の行動に関与するものであること
▲２▼より被験者の身体に近接して位置するものであること
▲３▼マイナスイオンが呼気とともに人体内部にも取り込まれるものであること
が好ましい。
【０００６】
しかるに、特許文献１記載の技術のように、マイナスイオン発生物質を単に紙に固定しても、単なる紙に近接して被験者が位置する状態は恒常的ではなく、マイナスイオンを被験者の人体内部に取り込ませることも困難であり、上記理想条件▲１▼〜▲３▼のいずれも充足することはできない。また、マイナスイオン発生物質をＴシャツに含有させた場合、理想条件▲２▼を充足することはできるにしても、被験者が当該Ｔシャツを毎日着用しない限り、理想条件▲１▼を充足することはできない。また、Ｔシャツから発生するマイナスイオンを効果的に呼気とともに人体内部に取り込ませることも困難であり、理想条件▲３▼を充足することもできない。
【０００７】
本発明は、このような従来の課題に鑑みてなされたものであり、マイナスイオンを効果的に被験者の人体に影響させるこのとのできるマイナスイオン発生印刷物及びマイナスイオン供給方法を提供することを目的とするものである。
【０００８】
【課題を解決するための手段】
前記課題を解決するために本発明にかかるマイナスイオン発生印刷物にあっては、視覚により伝達すべき内容を印刷した印刷物であって、マイナスイオン発生する物質を含有する印刷インキを用いて印刷を施してなる。すなわち、現在社会においては、毎日の生活の中で文章、絵、写真等の視覚により伝達すべき内容を印刷した印刷物を見る機会は必ずあるといっても過言ではない。したがって、被験者が毎日の生活の中で本発明に係るマイナスイオン発生印刷物を見ることにより、マイナスイオンの影響を毎日受けることができる（理想条件▲１▼）。また、視覚により伝達すべき内容を印刷した印刷物を見る際には、衣服等に妨げられていない顔が印刷物に近接することから（理想条件▲２▼）、皮膚が露出している顔に効果的にマイナスイオンの影響を与えることができる。また、顔が印刷物に近づけば、印刷物から発生したマイナスイオンが呼気とともに人体内部に取り込まれ（理想条件▲３▼）、人体内部にもマイナスイオンの影響を与えることができる。
【０００９】
また、本発明は、前記印刷インキの印刷媒体が紙であって、前記印刷物が新聞である。したがって、新聞を読む際に前記理想条件▲１▼〜▲３▼が充足されるとともに、新聞はほぼ毎日配達されることから、理想条件▲１▼は強く充たされる。
【００１０】
また、本発明は、前記新聞におけるカラーページを前記マイナスイオン発生する物質を含有する印刷インキで印刷してある。したがって、カラーページを見た際の視覚的な刺激とマイナスイオンによる影響との相乗作用により、癒し効果等が高められる。
【００１１】
また、本発明は、前記新聞における広告部分を前記マイナスイオン発生する物質を含有する印刷インキで印刷してある。したがって、被験者はマイナスイオンによる身体への好影響により、スポンサーに好感を持つことが予想され、広告及びそのスポンサーの宣伝広告効果を期待することができる。
【００１２】
また、本発明は、前記印刷インキの印刷媒体が紙であって、前記印刷物が新聞に折り込まれて配達される折り込み広告である。したがって、被験者はマイナスイオンによる身体への好影響により、折り込み広告に好感を持つことが予想され、広告された商品等の購買促進効果が期待することができる。
【００１３】
また、本発明は、前記マイナスイオン発生する物質を含有する印刷インキで印刷した部分にその旨を記載した印刷を施してある。したがって、被験者がこの記載を視認することにより、マイナスイオンによる好影響を意識することとなり、これによりマイナスイオンによる効果を高めることができる。
【００１４】
また、本発明に係るマイナスイオン供給方法にあっては、マイナスイオン発生する物質を含有する印刷インキを用いて印刷を施してなる新聞を、予め契約されている箇所に所定の休刊日を除く毎日配達する。したがって、新聞を配達された者が当該新聞見ることにより、マイナスイオンの影響を毎日受けることができる（理想条件▲１▼）。また、新聞を見る際には、衣服等に妨げられていない顔が印刷物に近接することから（理想条件▲２▼）、皮膚が露出している顔に効果的にマイナスイオンの影響を与えることができる。また、顔が新聞に近づけば、印刷物から発生したマイナスイオンが呼気とともに人体内部に取り込まれ（理想条件▲３▼）、人体内部にもマイナスイオンの影響を与えることができる。さらに、マイナスイオン発生物質から発生するマイナスイオンの強度が経時的に低下する場合であっても、マイナスイオン発生する物質を含有する印刷インキを用いて印刷された新聞がほぼ毎日配達されることにより、強度のマイナスイオンをほぼ毎日享受することができる。
【００１５】
また、本発明に係るマイナスイオン供給方法にあっては、前記新聞におけるカラーページが前記マイナスイオン発生する物質を含有する印刷インキで印刷され、また、前記新聞における広告部分が前記マイナスイオン発生する物質を含有する印刷インキで印刷され、あるいは前記マイナスイオン発生する物質を含有する印刷インキで印刷した部分にその旨を記載した印刷が施されている。この場合にも、前述したマイナスイオン発生印刷物と同様の作用効果を奏する。
【００１６】
【発明の実施の形態】
以下、本発明の実施の形態を図に従って説明する。この実施の形態は、本発明を新聞に適用したものであり、図に示すように新聞１は、左ページ２と右ページ３とを有する複数枚の紙で構成されている。ある紙の左ページ２には、モノクロ印刷された一般記事４が掲載されており、右ページ３にはカラー印刷された広告５が掲載されている。一般記事４及び広告５はマイナスイオンを発生する物質を含有するインキ（以下、マイナスイオン発生インキという。）により印刷されている。また、マイナスイオン発生インキで印刷された各ページの適宜の部分には、「このページはマイナスイオンを発生するインキで印刷されています。」なる記載が印刷され、広告５の一部にはスポンサー名６が印刷されている。
【００１７】
ここで、マイナスイオン発生インキとは、特許第３３０６７９０号公報に開示されているように、平均粒子径が０．２μｍより大きく１０μｍ以下の自発分極を持つ粉体（トルマリン）と、該自発分極を持つ粉体を、マイナスイオンを発生させるように励起する放射線量が１４Ｂｑ／ｇ以上４０Ｂｑ／ｇ以下の励起剤の粉体との混合物と、バインダー、顔料等一般的な新聞印刷インキ必要成分とを含有して構成されたものである。あるいは、特開２０００１号公報に開示されているトルマリン等含有する多機能インキを用いた新聞印刷インキで印刷されたものである。
【００１８】
係る新聞１は、新聞社にて印刷された後配達店に配送され、配達店から予め契約されている一般家庭等に、休刊日を除く毎日配達される。したがって、購読者が毎日の生活の中で新聞１を読むことにより、マイナスイオンの影響を休刊日を除く毎日受けることができる（理想条件▲１▼）。また、衣服等に妨げられていない顔が新聞１に近接することから（理想条件▲２▼）、皮膚が露出している顔に効果的にマイナスイオンの影響を与えることができる。また、顔が新聞１に近づけば、新聞１から発生したマイナスイオンが呼気とともに人体内部に取り込まれ（理想条件▲３▼）、人体内部にもマイナスイオンの影響を与えることができる。しかも、新聞は休刊日を除く毎日配達されることから、理想条件▲１▼を充分に充たすことができる。
【００１９】
そして、購読者がカラー印刷された広告５を見た際には、その際の色による視覚的な刺激とマイナスイオンによる影響との相乗作用により、癒し効果等が高められる。また、広告５の一部にはスポンサー名６が印刷されていることから、購読者はマイナスイオンによる身体への好影響により、スポンサー名６が示すスポンサーに好感を持つことが予想され、広告及びそのスポンサーの宣伝広告効果を期待することができる。さらに、マイナスイオン発生インキで印刷された各ページの適宜の部分には、「このページはマイナスイオンを発生するインキで印刷されています。」と印刷されていることから、購読者がこの記載を視認することにより、マイナスイオンによる影響を意識することとなり、これによりマイナスイオンによる効果を高めることができる。
【００２０】
なお、新聞１において全てのページをマイナスイオン発生インキで印刷してもよいし、一部のページのみであってもよい。また、一般記事４を除く全ての広告をマイナスイオン発生インキで印刷してもよいし、予め契約したスポンサーの広告のみをマイナスイオン発生インキで印刷するようにしてもよい。
【００２１】
また、前述した実施の形態においては、本発明を新聞に適用した場合を示したが、前記印刷物が新聞に折り込まれて配達される折り込み広告や、雑誌、本等の書籍にも適用し得ることは勿論である。
【００２２】
【発明の効果】
以上説明したように本発明によれば、マイナスイオン発生物質を、
▲１▼可及的に毎日の被験者の行動に関与するものであること
▲２▼より被験者の身体に近接して位置するものであること
▲３▼マイナスイオンが呼気とともに人体内部にも取り込まれるものであること
の理想的な条件を満たす媒体を介して被験者に供給することができ、これにより、マイナスイオンを効果的に被験者の人体に影響させるこのとができる。
【図面の簡単な説明】
【図１】本発明の一実施の形態を示す平面図である。
【符号の説明】
１    新聞
２    左ページ
３    右ページ
４    一般記事
５    広告
６    スポンサー名
【図１】
2004182941.tif 000003